(57)【特許請求の範囲】
【請求項１】
バンド挿通部を有するクリップ本体と、該クリップ本体から延設した可撓性を有する細長のバンド部とを備え、該バンド部表面にその長手方向に沿って多数の突条がほぼ平行に設けられ、前記クリップ本体に、引き締め方向へのみ前記バンド部の移動を許容するように前記突条と係合しかつ緩み方向への前記バンド部の移動に対しては前記突条を係止する係止部が設けられ、前記バンド部を長尺部材の外周に巻き付けた後、前記バンド挿通部に挿通して引き締めた状態で、前記突条が前記係止部で係止され長尺部材を前記バンド部で締め付けた状態が保持されるバンドクリップにおいて、
前記多数の突条のうち、前記クリップ本体に近い部位にある各突条のピッチと各突条の基部の厚さを、これらの突条より前記クリップ本体から遠い部位にある各突条のピッチと各突条の基部の厚さよりそれぞれ小さくすると共に、前記多数の突条全てのロック高さをほぼ同じにしたことを特徴とするバンドクリップ。
【請求項２】
前記多数の突条は、前記クリップ本体に近い領域にあって前記ピッチと前記厚さをそれぞれほぼ同じにした複数の突条からなる第１の突条群と、該突条群より前記クリップ本体から遠い領域にあって前記ピッチと前記厚さが前記第１の突条群よりそれぞれ大きい複数の突条からなる第２の突条群とを含むことを特徴とする請求項１記載のバンドクリップ。
【請求項３】
前記多数の突条の前記ピッチと前記厚さを、前記クリップ本体から離れるにつれて次第に大きくしたことを特徴とする請求項１又は２記載のバンドクリップ。
【請求項４】
前記多数の突条は、前記バンド部表面の幅方向にほぼその幅全体にわたってそれぞれ延びていることを特徴とする請求項１，２又は３記載のバンドクリップ。
【発明の詳細な説明】
【０００１】
【発明の属する技術分野】
本発明は、複数本の電線を束ねたワイヤーハーネス等の長尺部材を結束するためのバンドクリップに係り、特に長尺部材の外周に巻き付けたバンドを締め付けて長尺部材を保持するためのバンドクリップに関する。
【０００２】
【従来の技術】
従来、この種のバンドクリップとして、例えば図７に示す実開平４−８６７６３号公報に開示されたものがある。このバンドクリップは、バンド挿通部（ガイド穴）１を有するクリップ本体（枠体）２と、該クリップ本体２から延設した可撓性を有する細長のバンド部（バンド本体）３とを備える。該バンド部３の表面には、その長手方向に沿って多数の突条４，５が２列にそれぞれほぼ平行に設けられている。左右の突条４，５は、同じピッチ（突条の間隔）を有しかつ長手方向に１／２ピッチだけ互いにずらしてある。これによって、隣接する１つの突条４と１つの突条５との間のピッチが小さくなり、小径のワイヤーハーネスを確実に保持できるようになっている。なお、符号６，７は左右の突条４，５を係止する係止部である。
【０００３】
また、従来の別のバンドクリップとして、図８〜図１０に示す特開平１０−１４７３６１号公報に開示されたものがある。このバンドクリップは、バンド挿通部（貫通孔）８を有するクリップ本体（バックル部）９と、該クリップ本体９から延設した可撓性を有する細長のバンド部１０とを備える。該バンド部１０の表面には、その長手方向に沿って多数の突条１１がほぼ平行に設けられている。また、クリップ本体９には、引き締め方向へのみバンド部１０の移動を許容するように各突条１１と係合しかつ緩み方向へのバンド部１０の移動に対しては突条１１を係止する係止部１２が設けられている。該係止部１２は、バンド挿通部８内に設けた可撓性を有する係止片１３に突設されている。
ワイヤーハーネスを保持する際には、バンド部１０をワイヤーハーネスの外周に巻き付けた後、バンド部１０をバンド挿通部８に挿通させて引き締め方向（図９，１０の矢印方向）へ引っ張ると、係止部１２の傾斜面１２ａが各突条１１の傾斜面１１ａで順次押圧され、この押圧の度に係止片１３が弾性変形して係止部１２が隣接する突条１１，１１間の凹部１４から退避し、引き締め方向へバンド部１０の移動が許容される。バンド部１０を十分に引き締めた状態で、突条１１の被係止面１１ｂが係止部１２の係止面１２ｂで係止されワイヤーハーネスをバンド部１０で締め付けた状態が保持される。そして、このバンドクリップでは、多数の突条１１のうち、クリップ本体９に近い部位にある突条群１５の各突条１１のロック高さ（突条１１の被係止面１１ｂと係止部１２の係止面１２ｂとの接触面の高さ）Ｈ１とピッチＰ１（図９参照）を、突条群１５よりクリップ本体９から離れた部位にある突条群１６の各突条１１のロック高さＨ２とピッチＰ２よりそれぞれ小さくしてある。したがって、小径のワイヤーハーネスに対してはピッチの小さい突条群１５を使い、大径のワイヤーハーネスに対してはピッチの大きい突条群１６を使うことにより、径の異なるワイヤーハーネスを結束できるようになっている。
【０００４】
【発明が解決しようとする課題】
ところが、図７に示す従来のバンドクリップでは、左右の各突条４，５の幅が、図８に示すバンドクリップのような一列タイプのものと比べるとほぼ半分になっている。そのため、ポリプロピレン等の安価な材料を使用した場合、突条４，５のロック強度が不足してしまい、大きな保持力（突条４，５が係止部６，７で係止されて前記引き締め状態を保持する力）が必要な大径のワイヤーハーネスを保持できなくなるおそれがあった。
【０００５】
また、図８に示す従来の別のバンドクリップでは、ロック高さ大の突条群１６の各突条１１のロック高さＨ２はロック高さ小の突条群１５の各突条１１のロック高さＨ１より大きい。そのため、突条群１６を使って大径のワイヤーハーネスを結束する場合のバンド挿入力（バンド部１０を引き締めるのに必要な力）Ｆ２が、突条群１５を使って小径のワイヤーハーネスを結束する場合のバンド挿入力Ｆ１より大きくなってしまう。すなわち、突条群１５を使って小径のワイヤーハーネスを結束する場合には、ロック高さＨ１だけ係止部１２が凹部１４から退避するように係止片１３を弾性変形させるバンド挿入力Ｆ１が必要である。これに対して、突条群１６を使って大径のワイヤーハーネスを結束する場合には、ロック高さＨ２だけ係止部１２が凹部１４から退避するように係止片１３を弾性変形させるバンド挿入力Ｆ２が必要となり、Ｈ１＜Ｈ２であるのでＦ１＜Ｆ２となる。したがって、大径のワイヤーハーネスを保持する場合には、小径のワイヤーハーネスを保持する場合と比べて大きなバンド挿入力が必要になってしまうという問題があった。
【０００６】
本発明は、このような事情に鑑みてなされたもので、その目的は、ポリプロピレン等の安価な材料を使用した場合でも、ワイヤーハーネス等の長尺部材を径の大小にかかわらず確実に保持でき、また、大径の長尺部材を保持する際のバンド挿入力を低減して作業性の向上を図ったバンドクリップを提供することである。
【０００７】
【課題を解決するための手段】
上記課題を解決するために、請求項１に係る発明は、バンド挿通部を有するクリップ本体と、該クリップ本体から延設した可撓性を有する細長のバンド部とを備え、該バンド部表面にその長手方向に沿って多数の突条がほぼ平行に設けられ、クリップ本体に、引き締め方向へのみバンド部の移動を許容するように突条と係合しかつ緩み方向へのバンド部の移動に対しては前記突条を係止する係止部が設けられ、バンド部を長尺部材の外周に巻き付けた後、バンド挿通部に挿通して引き締めた状態で、突条が係止部で係止され長尺部材をバンド部で締め付けた状態が保持されるバンドクリップにおいて、多数の突条のうち、クリップ本体に近い部位にある各突条のピッチと各突条の基部の厚さを、これらの突条よりクリップ本体から遠い部位にある各突条のピッチと各突条の基部の厚さよりそれぞれ小さくすると共に、多数の突条全てのロック高さをほぼ同じにしたことを特徴とする。
【０００８】
かかる構成により、クリップ本体に近い部位にある突条のピッチを該突条よりクリップ本体から遠い部位にある突条のピッチより小さくしてあるので、クリップ本体に近い部位にある突条を使って小径の長尺部材を確実に保持できる。また、多数の突条全てのロック高さをほぼ同じにしてあるが、クリップ本体から遠い部位にある突条の基部の厚さを、該突条よりクリップ本体に近い部位にある突条の基部の厚さより大きくしてあるので、ポリプロピレン等の安価な材料を使用した場合でも、クリップ本体から遠い部位にある突条では大きなロック強度が得られる。これによって、遠い部位にある突条を使って大径の長尺を大きな保持力で強固に保持できる。さらに、多数の突条全てのロック高さをほぼ同じにしてあるので、径の異なる長尺部材を保持する際のバンド挿入力がほぼ一定になると共に、大径の長尺部材を保持する際のバンド挿入力が図８に示す上記従来例より低減し、作業性の向上が図れる。
【０００９】
請求項２に係る発明は、多数の突条は、クリップ本体に近い領域にあって前記ピッチと前記厚さをそれぞれほぼ同じにした複数の突条からなる第１の突条群と、該突条群よりクリップ本体から遠い領域にあって前記ピッチと前記厚さが第１の突条群よりそれぞれ大きい複数の突条からなる第２の突条群とを含むことを特徴とする。
かかる構成によれば、小径の長尺部材を第１の突条群により確実に保持できると共に、大径の長尺部材を第２の突条群により大きな保持力で強固に保持できる。しかも、第１の突条群と第２の突条群のいずれを使う場合でも、バンド挿入力がほぼ一定になる。
【００１０】
請求項３に係る発明は、多数の突条のピッチと基部の厚さを、クリップ本体から離れるにつれて次第に大きくしたことを特徴とする。
かかる構成によれば、長尺部材を径の大小にかかわらずより確実にかつその径に応じた適度な保持力で保持できる。
【００１１】
請求項４に係る発明は、多数の突条は、バンド部表面の幅方向にほぼその幅全体にわたってそれぞれ延びていることを特徴とする。
かかる構成によれば、各突条のロック強度がより一層大きくなる。特に、クリップ本体から遠い部位にある突条にあっては、基部の厚さをクリップ本体に近い部位にある突条より大きくしてあり、さらに幅方向の寸法についても大きくしたので、大径の長尺部材をより大きな保持力で保持できる。
【００１２】
【発明の実施の形態】
以下、本発明の実施の形態を図面に基づいて説明する。
図１は本発明の実施の形態の一例に係るバンドクリップを示す平面図、図２は図１の右側面図、図３はクリップ本体に近い部位にある突条と係止部の係合状態を示す図１のＡ−Ａ矢視部分断面図、図４はクリップ本体から離れた部位にある突条と係止部の係合状態を示す図３と同様の断面図である。
【００１３】
本例に係るバンドクリップは、ワイヤーハーネス等の長尺部材を結束するためのもので、図１および図２に示すように、バンド挿通部２０を有するクリップ本体２１と、該クリップ本体２１から一体的に延設した可撓性を有する細長のバンド部２２とを備える。バンド部２２の表面には、その長手方向に沿って多数の突条２３および２４がそれぞれほぼ平行にかつほぼ一定の間隔で設けられている。一方、クリップ本体２１には、引き締め方向へのみバンド部２２の移動を許容するように各突条２３又は２４と係合しかつ引き締め方向（図３，４の矢印方向）とは逆の緩み方向へのバンド部２２の移動に対しては１つの突条２３又は２４を係止する１つの係止部２５が設けられている。該係止部２５は、バンド挿通部２０内に設けた可撓性を有する係止片２６の各突条２３又は２４と対向する面に突設されている。
【００１４】
また、本例に係るバンドクリップは、バンド部２２をワイヤーハーネスの外周に巻き付けた後、クリップ本体２１のバンド挿通部２０に挿通して引き締めた状態で、１つの突条２３又は２４が係止部２５で係止され、すなわち、バンド部２２が緩み方向へ移動しないようにロックされ、長尺部材をバンド部２２で締め付けた状態が保持されるようになっている。なお、図２において、クリップ本体２１の右側がバンド挿通部２０の入口側であり、その左側がバンド挿通部２０の出口側になっている。したがって、バンド部２２の先端側を図２の矢印で示すようにクリップ本体２１右側の入口側からバンド挿通部２０に挿入する。
【００１５】
図１に示す多数の突条２３，２４のうち、クリップ本体２１に近い部位にある複数の突条２３はそれぞれ同一形状を有している。すなわち、複数の突条２３は、図３に示すように、ピッチ（隣接する突条の間隔）Ｐ１，基部の厚さ（長手方向の幅）Ｗ１およびロック高さ（突条２３の被係止面２３ａと係止部２５の係止面２５ａとの接触面の高さ）Ｈをそれぞれ同じにしてある。各突条２３は、図３に示すバンド部２２の長手方向の断面で、前記引き締め方向の前側に位置し係止部２５の係止面２５ａで係止される被係止面２３ａと、引き締め方向の後側に位置し、係止部２５の傾斜面２５ｂと接触可能な傾斜面２３ｂと、平坦な頂部とを有する台形状に形成されている。これら複数の突条２３が、バンド部２２の表面に、クリップ本体２１の近傍から所定の長さ範囲にわたって設けられている。また、各突条２３は、図１に示すように、バンド部２２の表面の幅方向にほぼその幅全体にわたってそれぞれ延びている。さらに、複数の突条２３により、保持力小の突条群（以下、第１の突条群という。）２７が構成されている。ここで、保持力とは、突条２３又は２４が係止部２５で係止されて前記引き締め状態を保持する力である。
【００１６】
一方、第１の突条群２７よりクリップ本体２１から離れた部位にある複数の突条２４もそれぞれ同一形状を有している。すなわち、複数の突条２４は、図４に示すように、ピッチＰ２，基部の厚さＷ２およびロック高さ（突条２４の被係止面２４ａと係止部２５の係止面２５ａとの接触面の高さ）Ｈをそれぞれ同じにしてある。これら複数の突条２４が、バンド部２２の表面に、第１の突条群２７の終端にある突条２３に連続して、所定の長さ範囲にわたって設けられている。また、各突条２４は、バンド部２２の表面の幅方向にほぼその幅全体にわたってそれぞれ延びている。また、各突条２４も、突条２３と同様に被係止面２４ａと傾斜面２４ｂと平坦な頂部とを有する台形状の断面を有する形状に形成されている。さらに、複数の突条２４により、保持力大の突条群（以下、第２の突条群という。）２８が構成されている。なお、図３および図４で、符号２９は、クリップ本体２１のバンド挿通部２０を形成する壁部の一部である。この壁部２９の内面に、バンド部２２の突条２３，２４を設けてある表面とは反対側の面が摺接する。
【００１７】
そして、多数の突条２３，２４のうち、クリップ本体２１に近い部位にある第１の突条群２７の各突条２３のピッチＰ１と基部の厚さＷ１（図３参照）を、これらの突条２３よりクリップ本体２１から遠い部位にある第２の突条群２８の各突条２４のピッチＰ２と基部の厚さＷ２よりそれぞれ小さくしてある（Ｐ１＜Ｐ２、Ｗ１＜Ｗ２）と共に、多数の突条２３，２４全てのロック高さＨをほぼ同じにしてある。
【００１８】
上記構成を有する本例に係るバンドクリップを使ってワイヤーハーネスを保持する際には、バンド部２２を不図示のワイヤーハーネスの外周に巻き付けた後、バンド部２２の先端側を図２の矢印で示すようにクリップ本体２１右側にあるバンド挿通部８の入口に挿入し、バンド部２２をバンド挿通部８に挿通させる。この挿通によりクリップ本体２１左側にあるバンド挿通部８の出口から出したバンド部２２の先端側を引き締め方向（図３，４の矢印方向）へ引っ張ると、係止部２５の傾斜面２５ｂが各突条２３又は２４の傾斜面２３ｂ又は２４ｂで順次押圧され（図５参照）、この押圧の度に係止片２６が同図の上方へ弾性変形し、この変形により係止部２５が隣接する２つの突条２３，２３間又は２４，２４間の凹部３０内から（図３又は図４に示す位置から）退避し始める（図５参照）。係止片２６の弾性変形がさらに進んで係止部２５が凹部３０内から完全に退避し、係止部２５の平坦な頂部が突条２３又は２４の平坦な頂部に乗り上げると（図６参照）、引き締め方向へバンド部２２の移動が許容される。
バンド部２２がさらに進んで突条２３又は２４の頂部が係止部２５の頂部から外れると、係止部２５が係止片２６の弾性力により凹部３０内に再び入り込み、その傾斜面２５ｂが次の突条２３又は２４の傾斜面２３ｂ又は２４ｂで上記と同様に押圧される。このような動作がバンド部２２を引っ張っている間繰り返される。
【００１９】
バンド部２２を十分に引き締めた状態でバンド部２２から手を離すと、突条２３又は２４の被係止面２３ａ又は２４ａが係止部２５の係止面２５ａで係止されワイヤーハーネスをバンド部２２で締め付けた状態が保持される。そして、小径のワイヤーハーネスを結束する際には第１の突条群２７の各突条２３を使い、大径のワイヤーハーネスを結束する際には第２の突条群２８を使うことができる。
【００２０】
本例に係るバンドクリップによれば、クリップ本体２１に近い部位にある各突条２３のピッチＰ１を該突条２３よりクリップ本体２１から遠い部位にある突条２４のピッチＰ２より小さくしてあるので、第１の突条群２７の各突条２３を使って小径のワイヤーハーネスを確実に保持できる。
また、多数の突条２３，２４全てのロック高さＨをほぼ同じにしてあるが、クリップ本体２１から遠い部位にある各突条２４の基部の厚さＷ２を、該突条２４よりクリップ本体２１に近い部位にある各突条２３の基部の厚さＷ１より大きくしてあるので、ポリプロピレン等の安価な材料を使用した場合でも、第２の突条群２８の各突条２４では大きなロック強度が得られる。これによって、その突条群２８内の各突条２４を使って大径のワイヤーハーネスを大きな保持力で強固に保持できる。
さらに、多数の突条２３，２４全てのロック高さＨをほぼ同じにしてあるので、径の異なるワイヤーハーネスを保持する際のバンド挿入力（バンド部２２を引き締めるのに必要な力）Ｆがほぼ一定になると共に、大径のワイヤーハーネスを保持する際のバンド挿入力Ｆが図８に示す上記従来例より低減し、バンド部２２の先端側を引き締め方向へ小さい力で引っ張ることができる。そのため、締め付け作業がし易くなり、作業性の向上を図ることができる。
【００２１】
また、本例に係るバンドクリップによれば、ピッチＰ１と基部の厚さＷ１をそれぞれほぼ同じにした複数の突条２３からなる第１の突条群２７と、該突条群２７よりクリップ本体２１から遠い領域にあってピッチＰ２と基部の厚さＷ２が第１の突条群２７よりそれぞれ大きい複数の突条２４からなる第２の突条群２８とを含むので、小径のワイヤーハーネスを第１の突条群２７の各突条２３により確実に保持できると共に、大径のワイヤーハーネスを第２の突条群２８の各突条２４により大きな保持力で強固に保持できる。しかも、両突条群２７，２８のいずれを使う場合でも、バンド挿入力Ｆがほぼ一定になる。
【００２２】
また、本例に係るバンドクリップによれば、多数の突条２３，２４は、バンド部２２表面の幅方向にほぼその幅全体にわたってそれぞれ延びているので、各突条２３，２４のロック強度がより一層大きくなる。特に、クリップ本体２１から遠い部位にある各突条２４にあっては、基部の厚さＷ２をクリップ本体２１に近い部位にある各突条２３より大きくしてあり、さらに幅方向の寸法についても大きくしたので、大径のワイヤーハーネスをより大きな保持力で保持できる。
【００２３】
なお、本例に係るバンドクリップでは、バンド部２２を引き締め方向へ引っ張る力で係止片２６を弾性変形させて係止部２５を退避させることにより、引き締め方向へのバンド部２２の移動を許容するように構成しているが、本発明はこのようなバンドクリップとは異なる構成のものにも適用できる。例えば、特開平９−１６６２４４号公報に開示されているように、バンド部が略平板状から幅方向に撓み変形したときにバンド部の移動を許容するように構成したバンドクリップにも本発明を適用できる。
【００２４】
また、本例に係るバンドクリップにおいて、多数の突条を、２つのグループ、すなわち第１の突条群２７と第２の突条群２８の２つに群に分けずに、各突条のピッチとその基部の厚さを、クリップ本体２１から離れるにつれて次第に大きくしてもよい。この場合には、ワイヤーハーネスを径の大小にかかわらずより確実にかつその径に応じた適度な保持力で保持できる。
【００２５】
さらに、本例に係るバンドクリップにおいて、第２の突条群２８に含まれる複数の突条２４の幅を同じにせずに、その幅をクリップ本体２１から離れるにつれて次第に大きくしてもよい。この場合にも、ワイヤーハーネスをその径に応じた適度な保持力で保持できる。
【００２６】
【発明の効果】
以上説明したように、請求項１に係る発明によれば、ポリプロピレン等の安価な材料を使用した場合でも、ワイヤーハーネス等の長尺部材を径の大小にかかわらず確実に保持することができる。その結果、径の異なる長尺部材に対して１種類のバンドグリップを共用することができる。また、大径の長尺部材を保持する際のバンド挿入力を低減することができ、バンド部の締め付け作業性の向上を図ることができる。
【００２７】
請求項２に係る発明によれば、請求項１に係る発明により得られる効果に加えて、小径の長尺部材を第１の突条群により確実に保持できると共に、大径の長尺部材を第２の突条群により大きな保持力で強固に保持することができる。しかも、第１の突条群と第２の突条群のいずれを使う場合でも、ほぼ一定のバンド挿入力でバンド部の締め付け作業を行うことができる。
【００２８】
請求項３に係る発明によれば、請求項１に係る発明により得られる効果に加えて、長尺部材を径の大小にかかわらずより確実にかつその径に応じた適度な保持力で保持することができる。
【００２９】
そして、請求項４に係る発明によれば、請求項１，２又は３に係る発明により得られる効果に加えて、各突条のロック強度がより一層大きくなる。特に、クリップ本体から遠い部位にある突条にあっては、基部の厚さをクリップ本体に近い部位にある突条より大きくしてあり、さらに幅方向の寸法についても大きくしたので、大径の長尺部材をより大きな保持力で保持することができる。
【図面の簡単な説明】
【図１】本発明の実施の形態の一例に係るバンドクリップを示す平面図。
【図２】図１の右側面図。
【図３】クリップ本体に近い部位にある突条と係止部の係合状態を示す図１のＡ−Ａ矢視部分断面図。
【図４】クリップ本体から離れた部位にある突条と係止部の係合状態を示す図３と同様の断面図。
【図５】突条と係止部の係合関係を示す説明図で、係止部が退避途中にある状態を示す図。
【図６】図５と同様の説明図で、係止部が完全に退避した状態を示す図。
【図７】従来のバンドクリップを示す平面図。
【図８】従来の別のバンドクリップを示す平面図。
【図９】図８のＢ−Ｂ矢視部分断面図で、ロック高さ小の突条と係止部の係合関係を示す図。
【図１０】図９と同様の断面図で、ロック高さ大の突条と係止部の係合関係を示す図。
【符号の説明】
２０                  バンド挿通部
２１                  クリップ本体
２２                  バンド部
２３，２４            突条
２５                  係止部
２６                  係止片
２７                  第１の突条群
２８                  第２の突条群
【図１】
0004079239.tif 000002
【図２】
0004079239.tif 000003
【図３】
0004079239.tif 000004
【図４】
0004079239.tif 000005
【図５】
0004079239.tif 000006
【図６】
0004079239.tif 000007
【図７】
0004079239.tif 000008
【図８】
0004079239.tif 000009
【図９】
0004079239.tif 000010
【図１０】
0004079239.tif 000011